(57)【要約】【課題】貯水タンクと貯水タンクに溜まった水の重量の合計を使用者に表示して知らせ、使用者自身の使い勝手で貯水タンクに溜まった水の排水の必要性を判断できるようにすることを目的とする。【解決手段】本発明によれば、除湿装置の運転により除湿された水を貯めておく貯水タンク７と前記貯水タンク７の重量と前記貯水タンク７に溜まった水の重量の合計を表示する重量表示手段１０を備え、前記貯水タンク７の排水時に持ち運ぶことになる前記貯水タンク７の重量と前記貯水タンク７に溜まった水の重量の合計を前記重量表示手段１０に表示して使用者に知らせることを可能にし、貯水タンク７の重量と除湿されて貯水タンク７に溜まった水の重量の合計を使用者に表示して知らせ、使用者自身の使い勝手で貯水タンク７に溜まった水の排水の必要性を判断することができるという効果が得られる。【選択図】図１
2011218313.tif 000002
【特許請求の範囲】
【請求項１】
除湿装置の運転により除湿された水を貯めておく貯水タンクと前記貯水タンクの重量と前記貯水タンクに溜まった水の重量の合計を表示する重量表示手段を備え、前記貯水タンクに溜まった水の排水時に持ち運ぶことになる前記貯水タンクの重量と前記貯水タンクに溜まった水の重量の合計を前記重量表示手段に表示して使用者に知らせることを特徴とする除湿装置。
【請求項２】
貯水タンクに溜まった水の水位を検知する水位検知手段を備えたことを特徴とする請求項１記載の除湿装置。
【請求項３】
重量表示手段は貯水タンクに溜まった水の水位目盛に重量を対応させて表示することを特徴とする請求項１乃至２に記載の除湿装置。
【請求項４】
貯水タンクの重量と除湿装置の運転により除湿された水の重量の合計を設定する重量設定手段と前記重量設定手段で設定した内容を表示する重量設定表示手段を備え、前記貯水タンクと除湿装置の運転により除湿された水の重量の合計が前記重量設定手段で設定した重量になったときに停止することを特徴とする請求項２乃至３に記載の除湿装置。
【請求項５】
水位検知手段に磁石とホール素子を用いたことを特徴する請求項２乃至４のいずれかに記載の除湿装置。
【請求項６】
水位検知手段に磁石とリードスイッチを用いたことを特徴する請求項２乃至４のいずれかに記載の除湿装置。
【請求項７】
重量表示手段にＬＥＤを用いたことを特徴とする請求項１乃至６のいずれかに記載の除湿装置。
【請求項８】
重量表示手段に液晶を用いたことを特徴とする請求項１乃至６のいずれかに記載の除湿装置。
【請求項９】
重量設定表示手段にＬＥＤを用いたことを特徴とする請求項４乃至８記載の除湿装置。
【請求項１０】
重量設定表示手段に液晶を用いたことを特徴とする請求項４乃至８記載の除湿装置。
【発明の詳細な説明】
【技術分野】
【０００１】
本発明は、除湿装置の運転により貯水タンクに溜まった水を捨てる際、どのくらいの重量物を運ぶことになるかを知らせる方法に関する。
【背景技術】
【０００２】
従来、この種に関する除湿装置は、除湿装置の運転を開始したときに貯水タンクに溜まっている水の水位から運転の途中で貯水タンクが満タンになって停止することを防止するために、貯水タンクに溜まっている水の水位を表示して使用者に貯水タンクの排水を促す使い勝手の良い機能を搭載したものが知られている（例えば、特許文献１参照）。
【０００３】
以下、その除湿装置について説明する。
【０００４】
除湿装置に複数の磁気センサと磁石を用いて貯水タンクに溜まっている水の水位を検知し、除湿装置の運転を開始したときに貯水タンクに溜まっている水の水位から運転の途中で貯水タンクが満タンになって止まってしまう可能性がある場合には、使用者に表示や音声により知らせて貯水タンクの排水を促す除湿装置である。
【先行技術文献】
【特許文献】
【０００５】
【特許文献１】特開２００７−２３７０６８号公報
【発明の概要】
【発明が解決しようとする課題】
【０００６】
このような従来の除湿装置では、貯水タンクに溜まっている水の水位は除湿装置の運転に影響を与えない水位であれば良く、除湿装置の運転を開始したときに貯水タンクの水の水位が運転中に満水で停止する可能性が低い場合には、貯水タンクの排水を使用者に積極的に促すことはない。また、使用者も貯水タンクに溜まっている水の水位を知ることはできるが、貯水タンクに溜まっている水と貯水タンクの重量の合計を知る手段がない。そのため、除湿装置の運転が停止したときに貯水タンクの水の水位が満水に近い状態になっていると貯水タンクを含めた重量の合計は非常に重くなり、特に貯水タンクの満水時に溜まる水の量が数リットルもあるような場合には、貯水タンクと貯水タンクに溜まった水の重量の合計は数キログラムにも達するため、貯水タンクの排水時に女性や子供が持ち運ぶには重量が重くなりすぎるという課題を有していた。
【０００７】
そこで本発明は、上記従来の課題を解決するものであり、貯水タンクと除湿されて貯水タンクに溜まった水の重量の合計を使用者に表示して知らせ、使用者自身の使い勝手で貯水タンクの排水の必要性を判断することができる除湿装置を提供することを目的としている。
【課題を解決するための手段】
【０００８】
そして、この目的を達成するために、本発明は、除湿装置の運転により除湿された水を貯めておく貯水タンクと前記貯水タンクの重量と前記貯水タンクに溜まった水の重量の合計を表示する重量表示手段を備え、前記貯水タンクに溜まった水の排水時に持ち運ぶことになる前記貯水タンクの重量と前記貯水タンクに溜まった水の重量の合計を前記重量表示手段に表示して使用者に知らせることを特徴としたものであり、これにより所期の目的を達成するものである。
【発明の効果】
【０００９】
本発明によれば、除湿装置の運転により除湿された水を貯めておく貯水タンクと前記貯水タンクの重量と前記貯水タンクに溜まった水の重量の合計を表示する重量表示手段を備え、前記貯水タンクに溜まった水の排水時に持ち運ぶことになる前記貯水タンクの重量と前記貯水タンクに溜まった水の重量の合計を前記重量表示手段に表示して使用者に知らせることを可能にし、貯水タンクの重量と除湿されて貯水タンクに溜まった水の重量の合計を使用者に表示して知らせ、使用者自身の使い勝手で貯水タンクの排水の必要性を判断することができるという効果を得ることができる。
【図面の簡単な説明】
【００１０】
【図１】本発明の実施の形態１の除湿装置の図
【図２】本発明の実施の形態１の除湿装置の構成を示す図
【図３】同除湿装置の水位検知の図
【図４】同除湿装置のフロートの図
【図５】同除湿装置のＬＥＤによる重量表示の図
【図６】同除湿装置のＬＥＤによる重量設定表示の図
【図７】同除湿装置の液晶による表示の図
【図８】同除湿装置の貯水タンクの水位窓の重量表示の図
【発明を実施するための形態】
【００１１】
本発明の請求項１記載の除湿装置は、除湿装置の運転により除湿された水を貯めておく貯水タンクと前記貯水タンクの重量と前記貯水タンクに溜まった水の重量の合計を表示する重量表示手段を備え、前記貯水タンクに溜まった水の排水時に持ち運ぶことになる前記貯水タンクの重量と前記貯水タンクに溜まった水の重量の合計を前記重量表示手段に表示して使用者に知らせる構成を有する。これにより、貯水タンクの重量と除湿されて貯水タンクに溜まった水の重量の合計を使用者に表示して知らせ、使用者自身の使い勝手で貯水タンクの排水の必要性を判断することができるという効果を奏する。
【００１２】
また、貯水タンクに溜まった水の水位を検知する水位検知手段を備えた構成にしてもよい。これにより、貯水タンクに溜まった水の重量を検知することができるという効果を奏する。
【００１３】
また、重量表示手段は貯水タンクに溜まった水の水位目盛に重量を対応させて表示する構成にしてもよい。これにより、非常に簡単な手段で貯水タンクの重量と貯水タンクに溜まった水の重量の合計を使用者に知らせることができるという効果を奏する。
【００１４】
また、貯水タンクの重量と除湿装置の運転により除湿された水の重量の合計を設定する重量設定手段と前記重量設定手段で設定した内容を表示する重量設定表示手段を備え、前記貯水タンクの重量と除湿装置の運転により除湿された水の重量の合計が前記重量設定手段で設定した重量になったときに停止する構成にしてもよい。これにより、貯水タンクの排水時に持ち運ぶことになる重量を使用者自身が設定することができるという効果を奏する。
【００１５】
また、水位検知手段に磁石とホール素子を用いたことを特徴する構成にしてもよい。これにより、寿命の長い水位の検知を実現することができるという効果を奏する。
【００１６】
また、水位検知手段に磁石とリードスイッチを用いたことを特徴する構成にしてもよい。これにより、簡単な方法で水位の検知をすることができるという効果を奏する。
【００１７】
また、重量表示手段にＬＥＤを用いたことを特徴とする構成にしてもよい。これにより、安価な手段で貯水タンクと貯水タンクに溜まった水の重量の合計を表示できるという効果を奏する。
【００１８】
また、重量表示手段に液晶を用いる構成にしてもよい。これにより、貯水タンクと貯水タンクに溜まった水の重量の合計を絵と文字で分かりやすく表示できるという効果を奏する。
【００１９】
また、重量設定表示手段にＬＥＤを用いる構成にしてもよい。これにより、安価な手段で貯水タンクと貯水タンクに溜まる水の重量の合計を表示できるという効果を奏する。
【００２０】
また、重量設定表示手段に液晶を用いたことを構成にしてもよい。これにより、貯水タンクと貯水タンクに溜まる水の重量の合計を絵と文字で分かりやすく表示できるという効果を奏する。
【００２１】
（実施の形態１）
図１から図４に本発明に関わる除湿装置の全体構成を示す。
【００２２】
図１に示すように、除湿装置は、本体１の天面に除湿装置の操作と運転状態を表示するための操作表示部２と室内の空気を吸い込む吸込口３と除湿された空気を吹き出すための吹出口４と吹出口４から吹き出す空気の風向を上下方向に変化させるための風向ルーバー５と水平方向に送風範囲を変化させる送風範囲ルーバー６と除湿した水分を集めるための貯水タンク７と室内の空気の温度と湿度を検知する温湿度センサ８を備えている。また、貯水タンク７には除湿装置の運転により除湿されて溜まった水の量を貯水タンク７の壁を透かして見ることのできる水位窓９があり、操作表示部２には、除湿装置の運転により除湿された水を貯めておく貯水タンク７と貯水タンク７と貯水タンク７に溜まった水の重量の合計を表示する重量表示手段１０と貯水タンク７の重量と除湿装置の運転により除湿された水の重量の合計を設定する重量設定手段１１と重量設定手段１１で設定した内容を表示する重量設定表示手段１２を備えている。
【００２３】
図には示していないが、温湿度センサ８は、雰囲気温度の検知と雰囲気湿度の検知ができるものであればよく、温度検知には安価なサーミスタを使用することができ、湿度検知には安価な高分子センサや精度の良い静電容量型センサを使用することができる。
【００２４】
除湿装置の本体１の内部には、図２に示すように、除湿装置の運転を制御する制御装置１３と、吸い込んだ空気の水分を吸着する吸湿材１４と、吸湿材１４を加熱して吸湿材１４から水分を放出させるための再生ヒーターＬ１５と再生ヒーターＨ１６と吸湿材１４から放出される水分を凝縮させるための凝縮器１７と室内の空気を吸込口３から吸い込んで本体１の内部を循環させて除湿した空気を吹出口４から吹き出すためのファン１８と貯水タンク７に溜まった水の水位を検知するための水位検知手段１９と風向ルーバー５と送風範囲ルーバー６を駆動するためのステッピングモータなどが収納されている。ここでの再生ヒーターは、再生ヒーターＬ１５よりも再生ヒーターＨ１６の消費電力の方が大きい構成としているが、それぞれの役割は同じであり、除湿能力を段階的に調整することを可能とするために、このような構成としている。また、制御装置１３には、負荷を駆動するためのトライアックやリレーなどの電子部品で構成された負荷駆動回路２０と、カウンターやタイマーや時計機能などＲＡＭやＲＯＭを内部に持つマイコン２１を備えている。ここで、マイコン２１の動作はマイコン内のカウンターやタイマーや時計機能やＲＡＭやＲＯＭが共同するマイコンのプログラムの形態で実施される。
【００２５】
除湿装置の水位検知手段１９は、図３に示すように、本体１の内側に水位を検知するための磁気センサ１９ａと１９ｂと１９ｃと１９ｄと１９ｅが本体１の内側に取り付けてあり、貯水タンク７の内側には水位の変化によりガイド１９ｆの空洞を上下の方向に動くフロート１９ｇがある。
【００２６】
そして、フロート１９ｇには、図４に示すように、磁気センサを動作させるための磁石１９ｈが磁気センサの取り付けてある面になるように取り付けてある。また、フロート１９ｇの形状は、フロート１９ｇがガイド１９ｆの空洞を上下の方向にスムーズに動くように、ガイド１９ｆの角に当たる部分の４つの角を面取りしてあり、フロート１９ｇが水平方向に回転して磁石１９ｈの向きが変わらないように面取りの大きさを調整してある。さらに、フロート１９ｇは、磁石１９ｈの重量よりもフロート１９ｇの浮力の方が大きくなるように材質と大きさと形状が調整されている。
【００２７】
また、水位検知手段１９の磁気センサ１９ａから１９ｅは、貯水タンク７の底面に平行な面の断面積と貯水タンク７の底面からの高さとの積から算出される貯水タンク７に溜まる水の重量と貯水タンク７の重量との合計が、重量表示手段１０に表示する重量と一致する水位の位置になるように、予め設計や試作の段階で確認して、それぞれを配置してある。
【００２８】
つまり、図３に示すように、磁気センサ１９ａから１９ｅは、貯水タンク７に溜まる水の重量と貯水タンク７の重量との合計を１ｋｇ、２ｋｇ、３ｋｇ、４ｋｇ、５ｋｇというように等重量間隔の目盛りで検出できるように配置したものである。
【００２９】
このような構成にすることにより、貯水タンク７に溜まった水の水位の検知から貯水タンク７に溜まった水と貯水タンク７の合計の重量を容易に検知することが可能となる。
【００３０】
以上のように、貯水タンク７に溜まった水の重量を水位検知手段１９の磁気センサの位置と貯水タンク７の重量と貯水タンク７の断面積から予め算出しておいて求める方法を採用しているが、貯水タンク７に溜まった水の水位から水の重量を算出する方法であれば、その方法に限定されず、その作用効果に差異は生じない。
【００３１】
図には示していないが、磁気センサには磁石により信号が得られるものであればよく、動作の回数に影響されない長寿命なホール素子や使い勝手の良いリードスイッチを使用することができる。
【００３２】
上記のように構成した除湿装置において、貯水タンク７と除湿されて貯水タンク７に溜まった水の重量の合計を使用者に表示して知らせ、使用者自身の使い勝手で貯水タンクの排水の必要性を判断する方法について、図３と図５から図８を参照しながら説明する。
【００３３】
除湿装置の運転により貯水タンク７に水が溜まっていくと、水位の上昇に合わせてフロート１９ｇがガイド１９ｆの空洞を上方向に移動し、一番下に配置してある１ｋｇの磁気センサ１９ａから一番上に配置してある１９ｅを順番に駆動していくことになる。そして、磁気センサ１９ａから１９ｅの変化をマイコン２１で確認する毎に操作表示部２の重量表示手段１０に貯水タンク７に溜まった水の重量と貯水タンク７の合計の重量を表示していく。
【００３４】
このように、水位の変化を貯水タンク７に溜まった水の重量と貯水タンク７の重量の合計の重量に切り替えて表示することで、使用者が現在の貯水タンク７の重量と除湿されて貯水タンク７に溜まった水の重量の合計を知ることが可能となり、使用者の使い勝手で排水の必要性を判断することができるという除湿装置が得られる。
【００３５】
図５に示すように、貯水タンク７に溜まった水の重量と貯水タンク７の重量の合計の重量の表示にＬＥＤを用いれば、安価かつ簡単な方法で表示を実現することができる。
【００３６】
次に、操作表示部２の重量設定手段１１で貯水タンク７に溜まる水の重量と貯水タンク７の重量の合計の重量を予め設定しておき、水位検知手段１９の磁気センサの変化からマイコン２１で確認する貯水タンク７に溜まった水の重量と貯水タンク７の重量の合計の重量が、重量設定手段１１で設定した重量に達した時点で除湿装置の運転を停止するようにすれば、貯水タンク７に溜まる水の重量と貯水タンク７の重量の合計の重量を使用者が決めることが可能となり、使用者が貯水タンクに溜まった水の排水時に持ち運ぶことになる合計の重量を使用者自身で設定することができる除湿装置が得られる。
【００３７】
図６に示すように、貯水タンク７に溜まった水の重量と貯水タンク７の重量の合計の重量の設定の表示にＬＥＤを用いれば、安価かつ簡単な方法で表示を実現することができる。
【００３８】
また、図７に示すように、貯水タンク７に溜まった水の重量と貯水タンク７の重量の合計の重量と貯水タンク７に溜まった水の重量と貯水タンク７の重量の合計の重量の設定値の表示に液晶を用いれば、文字と絵による分かりやすい表示を実現することができる。
【００３９】
ここでは、重量設定表示手段１２に貯水タンク７に溜まった水の重量と貯水タンク７の重量の合計の重量と貯水タンク７に溜まった水の重量と貯水タンク７の重量の合計の重量の設定値を合わせて表示しているが、重量表示手段１０と重量設定表示手段１２を別々の表示手段にしても良く、表示を分かりやすくする方法であれば、その作用効果に差異は生じない。
【００４０】
また、図８に示すように貯水タンク７の水位窓９に貯水タンク７に溜まった水の重量と貯水タンク７の重量の合計の重量の目盛りをつければ、簡単な方法で貯水タンク７に溜まった水の重量と貯水タンク７の重量の合計の重量を使用者に知らせることのできる除湿装置が得られる。
【産業上の利用可能性】
【００４１】
本発明にかかる除湿装置は、排水するときに持ち運びをする貯水タンクの重さを知らせるものであり、貯水タンクを備えた家電機器に有用である。
【符号の説明】
【００４２】
１      本体
２      操作表示部
３      吸込口
４      吹出口
５      風向ルーバー
６      送風範囲ルーバー
７      貯水タンク
８      温湿度センサ
９      水位窓
１０    重量表示手段
１１    重量設定手段
１２    重量設定表示手段
１３    制御装置
１４    吸湿材
１５    再生ヒーターＬ
１６    再生ヒーターＨ
１７    凝縮器
１８    ファン
１９    水位検知手段
１９ａ  磁気センサ
１９ｂ  磁気センサ
１９ｃ  磁気センサ
１９ｄ  磁気センサ
１９ｅ  磁気センサ
１９ｆ  ガイド
１９ｇ  フロート
１９ｈ  磁石
２０    負荷駆動回路
２１    マイコン
【図１】
2011218313.tif 000003
【図２】
2011218313.tif 000004
【図３】
2011218313.tif 000005
【図４】
2011218313.tif 000006
【図５】
2011218313.tif 000007
【図６】
2011218313.tif 000008
【図７】
2011218313.tif 000009
【図８】
2011218313.tif 000010